(57)【特許請求の範囲】
【請求項１】
データ記憶装置を、底板を含むケースと、垂直に前記底板に設けられるバックプレーンと、前記ケースに接続され前記バックプレーンに沿って前記底板の上縁から離れて設けられる桿状部材とを含むサーバーの中に組み立てるための搭載装置において、
前記データ記憶装置に固定される固定部材と、
回動可能に前記桿状部材に係合される係止フック構造を有するハンドルと、
前記固定部材と前記ハンドルに枢支される第１の連接棒と、
前記固定部材に枢支され、且つ摺動可能に前記ハンドルに接続される第２の連接棒と、
を含み、
前記底板に垂直な第１の方向に沿って前記データ記憶装置を前記ケース内に入れ又は前記ケースから外すことができ、前記データ記憶装置が前記ケース内に入り前記底板に搭載されることにより、前記バックプレーンの第１の電気コネクタが前記データ記憶装置の第２の電気コネクタに位置合わせされる場合、前記第１の方向に沿って力を受けて前記桿状部材に対して回転する前記ハンドルが、前記第１の連接棒と前記第２の連接棒を介して前記データ記憶装置を前記底板に平行な第２の方向に沿って移動させるように押し又は引き、更に前記第１の電気コネクタと前記第２の電気コネクタとを別々に接続させ又は離脱させることができる搭載装置。
【請求項２】
前記第２の連接棒は、前記係止フック構造と前記第１の連接棒との間に位置し、且つ前記第１の連接棒の長さが前記第２の連接棒の長さよりも長い請求項１に記載の搭載装置。
【請求項３】
前記係止フック構造は、凹溝状となり、前記ハンドルは、前記ハンドルが前記固定部材に平らに密着される時に前記固定部材に当接するための当接縁を有し、且つ前記係止フック構造の凹方向が前記当接縁と垂直にならない請求項１又は２に記載の搭載装置。
【請求項４】
前記固定部材に設けられる閂を更に含み、前記ハンドルが、前記固定部材に平らに密着される場合、前記固定部材と前記閂の一部との間に位置限定される請求項１乃至３の何れか１項に記載の搭載装置。
【請求項５】
前記固定部材と前記ハンドルとの間に設けられる弾性部材を更に含む請求項１乃至４の何れか１項に記載の搭載装置。
【請求項６】
前記固定部材は、前記データ記憶装置が搭載され固定されるトレーである請求項１乃至５の何れか１項に記載の搭載装置。
【請求項７】
底板を含むケースと、
垂直に前記底板に設けられ、第１の電気コネクタを有し、前記底板から離れた上縁を更に有するバックプレーンと、
前記ケースに接続され、実質に前記上縁に沿って設けられる桿状部材と、
第２の電気コネクタを有するデータ記憶装置と、
前記データ記憶装置に固定される固定部材と、回動可能に前記桿状部材に係合される係止フック構造を有するハンドルと、前記固定部材と前記ハンドルに枢支される第１の連接棒と、前記固定部材に枢支され、且つ摺動可能に前記ハンドルに接続される第２の連接棒と、を含む搭載装置と、
を備え、
前記搭載装置は前記底板に垂直な第１の方向に沿って前記データ記憶装置を前記ケース内に入れ又は前記ケースから外すことができ、前記データ記憶装置が前記ケース内に入り前記底板に搭載されることにより、前記第１の電気コネクタが前記第２の電気コネクタに位置合わせされる場合、前記第１の方向に沿って力を受けて前記桿状部材に対して回転する前記ハンドルが、前記第１の連接棒と前記第２の連接棒を介して前記データ記憶装置を、前記底板に平行な第２の方向に沿って移動させるように押し又は引き、更に前記第１の電気コネクタと前記第２の電気コネクタとを別々に接続させ又は離脱させることができるサーバー。
【請求項８】
前記第２の連接棒は、前記係止フック構造と前記第１の連接棒との間に位置し、且つ前記第１の連接棒の長さが前記第２の連接棒の長さよりも長い請求項７に記載のサーバー。
【請求項９】
前記係止フック構造は、凹溝状となり、前記ハンドルは、前記固定部材に平らに密着される時に前記固定部材に当接する当接縁を有し、且つ前記係止フック構造の凹方向が前記当接縁と垂直にならない請求項７又は８に記載のサーバー。
【請求項１０】
前記搭載装置は、前記固定部材に設けられる閂を更に含み、前記ハンドルが、前記固定部材に平らに密着される場合、前記固定部材と前記閂の一部との間に位置限定される請求項７乃至９の何れか１項に記載のサーバー。
【請求項１１】
前記搭載装置は、前記固定部材と前記ハンドルとの間に設けられる弾性部材を更に含む請求項７乃至１０の何れか１項に記載のサーバー。
【請求項１２】
前記固定部材は、前記データ記憶装置が搭載され固定されるトレーである請求項７乃至１１の何れか１項に記載のサーバー。
【請求項１３】
前記底板は、前記バックプレーンに向かって伸びるガイド構造を有し、且つ当前記データ記憶装置が前記底板に搭載されることにより、前記固定部材が前記ガイド構造に当接される場合、前記第１の電気コネクタが前記第２の電気コネクタに位置合わせされる請求項７乃至１２の何れか１項に記載のサーバー。
【発明の詳細な説明】
【技術分野】
【０００１】
本発明は、搭載装置に関し、特に、データ記憶装置を搭載する搭載装置に関する。
【背景技術】
【０００２】
ラックユニットは、米国電子工業会（Ｅｌｅｃｔｒｏｎｉｃ  Ｉｎｄｕｓｔｒｉｅｓ  Ａｌｌｉａｎｃｅ；ＥＩＡ）が規定するサーバーを収納するためのユニットである。１個のラックユニットは、一般的に「１Ｕ」と呼ばれ、実際に高さ１．７５インチ（約４４．５ｍｍ）であり、幅が１９インチ（約４８２．６ｍｍ）である。２個のラックユニットは、一般的に「２Ｕ」と呼ばれ、実際に高さが１．７５インチ×２（約８９ｍｍ）であり、幅が依然として１９インチ（約４８２．６ｍｍ）である。その他については、これに基づいて類推することができる。このため、Ｎ個のラックユニットは、サーバーの内部の部品が如何に組み合わせられても、一定の規格に限定され、この高さに収納されなければならない。
【０００３】
４Ｕサーバーについては、高さが十分であるため、バックプレーンをその底部に設けることができ、また、データ記憶装置（例えば、ハードドライブ）を、直接鉛直方向に下向きに、バックプレーンと挿着するようにサーバーの内部に入れることができる。一方、３Ｕサーバーについては、高さが不十分であるため、上記と同様にデータ記憶装置を挿着すれば、データ記憶装置が完全にサーバーの内部に収納できない。このため、３Ｕサーバーの構造配置としては、通常、バックプレーンを立たせ、データ記憶装置をバックプレーンと挿着するように３Ｕサーバーの内部に横向きに入れる。
【発明の概要】
【発明が解決しようとする課題】
【０００４】
しかしながら、サーバーの内部では、スペースに極めて限りがあり、データ記憶装置を横向きにサーバーの内部に入れる場合、水平方向に移動できる距離が短過ぎるため、組立を行う者にとっては、データ記憶装置をサーバーの内部で水平方向に移動させ、また、縦置きのバックプレーンを着脱する際に不便である。
【０００５】
上記の点を鑑みて、横置きのデータ記憶装置をサーバーの内部で水平方向に移動させることに寄与し、縦置きのバックプレーンを着脱することができる搭載装置を如何に提供するかが、現在、業界が研究資源を投入して解決しようとする問題の一つとなっている。
【課題を解決するための手段】
【０００６】
本発明は、データ記憶装置を、底板を含むケースと、垂直に底板に設けられるバックプレーンと、ケースに接続されバックプレーンに沿って底板の上縁から離れて設けられる桿状部材とを含むサーバーの中に組み立てるための搭載装置において、データ記憶装置に固定される固定部材と、回動可能に桿状部材に係合される係止フック構造を有するハンドルと、固定部材とハンドルに枢支される第１の連接棒と、固定部材に枢支され、且つ摺動可能にハンドルに接続される第２の連接棒と、を含み、底板に垂直な第１の方向に沿ってデータ記憶装置をケース内に入れ又はケースから外すことができ、データ記憶装置がケース内に入り底板に搭載されることにより、バックプレーンの第１の電気コネクタがデータ記憶装置の第２の電気コネクタに位置合わせされる場合、第１の方向に沿って力を受けて桿状部材に対して回転するハンドルが第１の連接棒と第２の連接棒を介してデータ記憶装置を底板に平行な第２の方向に沿って移動させるように押し又は引き、更に第１の電気コネクタと第２の電気コネクタとを別々に接続させ又は離脱させることができる搭載装置を提供する。
【０００７】
本発明の一実施形態において、前記第２の連接棒は、係止フック構造と第１の連接棒との間に位置し、且つ第１の連接棒の長さが第２の連接棒の長さよりも長い。
【０００８】
本発明の一実施形態において、前記係止フック構造は、凹溝状となり、ハンドルは、ハンドルが固定部材に平らに密着される時に固定部材に当接するための当接縁を有し、且つ係止フック構造の凹方向が当接縁と垂直にならない。
【０００９】
本発明の一実施形態において、前記搭載装置は、固定部材に設けられる閂を更に含み、ハンドルは、固定部材に平らに密着される場合、固定部材と閂の一部との間に位置制限される。
【００１０】
本発明の一実施形態において、前記搭載装置は、固定部材とハンドルとの間に設けられる弾性部材を更に含む。
【００１１】
本発明の一実施形態において、前記固定部材は、データ記憶装置が搭載され固定されるトレーである。
【００１２】
本発明は、底板を含むケースと、垂直に底板に設けられ、第１の電気コネクタを有し、底板から離れた上縁を更に有するバックプレーンと、ケースに接続され、実質に上縁に沿って設けられる桿状部材と、第２の電気コネクタを有するデータ記憶装置と、データ記憶装置に固定される固定部材と、回動可能に桿状部材に係合される係止フック構造を有するハンドルと、固定部材とハンドルに枢支される第１の連接棒と、固定部材に枢支され、且つ摺動可能にハンドルに接続される第２の連接棒と、を含む搭載装置と、を備え、搭載装置は底板に垂直な第１の方向に沿ってデータ記憶装置をケース内に入れ又はケースから外すことができ、データ記憶装置がケース内に入り底板に搭載されることにより、第１の電気コネクタが第２の電気コネクタに位置合わせされる場合、第１の方向に沿って力を受けて桿状部材に対して回転するハンドルが第１の連接棒と第２の連接棒を介してデータ記憶装置を底板に平行な第２の方向に沿って移動させるように押し又は引き、更に第１の電気コネクタと第２の電気コネクタとを別々に接続させ又は離脱させることができるサーバーを更に提供する。
【００１３】
本発明の一実施形態において、前記底板は、バックプレーンへ伸びるガイド構造を有し、且つデータ記憶装置が底板に搭載されることにより、固定部材がガイド構造に当接される場合、第１の電気コネクタが第２の電気コネクタに位置合わせされる。
【発明の効果】
【００１４】
以上を纏めると、本発明の搭載装置は、ハンドルの係止フック構造を桿状部材に係合し、底板に垂直な第１の方向に沿ってデータ記憶装置をケース内に入れ又はケースから外すことができるため、データ記憶装置が底板に横置きされた状態で、組立を行う者が第１の方向に沿ってハンドルを押下して回動させる動作によって、第１の連接棒と第２の連接棒を介してデータ記憶装置を第２の方向に沿って縦置きのバックプレーンに向かって水平方向に移動させるように押し、バックプレーンの第１の電気コネクタとデータ記憶装置の第２の電気コネクタとを挿着させることができる。これに対して、組立を行う者は、第１の方向に沿ってハンドルを引き上げて回動させる動作によって、第１の連接棒と第２の連接棒を介してデータ記憶装置を第２の方向に沿って縦置きのバックプレーンに向かって水平方向に移動させるように引き、第１の電気コネクタと第２の電気コネクタとを離脱させることができる。つまり、本発明の搭載装置は、ハンドルを第１の方向に沿って押下又は引き上げて回動させる動作によって、第１の連接棒と第２の連接棒の連係を介してデータ記憶装置を第２の方向に沿って底板上に水平方向に移動させることができる。このため、サーバーの内部スペース内のデータ記憶装置が水平方向に移動するための距離が短くても、本発明の搭載装置の寄与によって、組立を行う者は、容易にデータ記憶装置をサーバーの内部で水平方向に移動させ、縦置きのバックプレーンを着脱することができる。
【図面の簡単な説明】
【００１５】
【図１】本発明の一実施形態に係るサーバーを示す部分斜視図であり、データ記憶装置と搭載装置がサーバー内に入る前の状態を示す。
【図２】図１におけるデータ記憶装置と搭載装置を示す斜視図である。
【図３Ａ】図１を示す部分拡大図であり、データ記憶装置と搭載装置が既にサーバー内に入り、データ記憶装置がバックプレーンに接続される前の状態を示す。
【図３Ｂ】図１を示す別の部分拡大図であり、データ記憶装置と搭載装置が既にサーバー内に入り、データ記憶装置が既にバックプレーンに接続された状態を示す。
【図４】図３Ｂにおけるデータ記憶装置、搭載装置と桿状部材を示す側面図である。
【発明を実施するための形態】
【００１６】
以下、図面で本発明の複数の実施形態を開示し、明瞭に説明するために、数多くの実際の細部を下記叙述で合わせて説明する。しかしながら、理解すべきなのは、これらの実際の細部が、本発明を制限するためのものではないことである。つまり、本発明の実施形態の一部において、これらの実際の細部は、必須なものではない。また、図面を簡略化するために、いくつかの従来・慣用の構造及び素子は、図面において概略で模式的に示される。
【００１７】
図１〜図３Ｂを参照されたい。図１は、本発明の一実施形態に係るサーバー１を示す部分斜視図であり、データ記憶装置１６と搭載装置１８がサーバー１内に入る前の状態を示す。図２は、図１におけるデータ記憶装置１６と搭載装置１８を示す斜視図である。図３Ａは、図１を示す部分拡大図であり、データ記憶装置１６と搭載装置１８が既にサーバー１内に入り、データ記憶装置１６がバックプレーン１２に接続される前の状態を示す。図３Ｂは、図１を示す別の部分拡大図であり、データ記憶装置１６と搭載装置１８が既にサーバー１内に入り、データ記憶装置１６が既にバックプレーン１２に接続された状態を示す。
【００１８】
図１〜図３Ｂに示すように、本実施形態において、サーバー１は、ケース１０、バックプレーン１２、桿状部材１４、データ記憶装置１６及び搭載装置１８を含む。ケース１０は、底板１００及び２つの側板１０２を含む。２つの側板１０２が底板１００の対向する２つの縁に接続され、側板１０２と底板１００とが実質に互いに垂直になる。バックプレーン１２が底板１００に垂直に設けられ（即ち、バックプレーン１２が底板１００に対して垂直に縦置きされる）、且つ、第１の電気コネクタ１２０を有する。更に、バックプレーン１２が、構造強度を高めるように側板１０２に接続される。バックプレーン１２は、底板１００から離れた上縁１２ａを更に有する（即ち、上縁１２ａがバックプレーン１２の底板１００と反対側に位置する）。桿状部材１４は、両端が別々に２つの側板１０２に接続され、実質にバックプレーン１２の上縁１２ａに沿って設けられる。図１から明らかに分かるように、桿状部材１４はバックプレーン１２の上縁１２ａの真上に位置するが、本発明はこれに限定されない。
【００１９】
サーバー１のデータ記憶装置１６は、第２の電気コネクタ１６０を有する。本実施形態において、データ記憶装置１６は、ハードドライブ（ｈａｒｄ  ｄｒｉｖｅ）であるが、本発明はこれに限定されない。
【００２０】
サーバー１の搭載装置１８は、固定部材、ハンドル１８２、第１の連接棒１８４及び第２の連接棒１８６を含む。本実施形態において、固定部材は、データ記憶装置１６が搭載され固定されるトレー１８０である。このため、データ記憶装置１６が底板１００に横置きされる場合、トレー１８０で底板１００に接触される。しかしながら、搭載装置１８の固定部材は、本実施形態のトレー１８０に限定されず、実際の応用において、データ記憶装置１６の側壁に固定された固定シート（図示せず）だけであってもよい。
【００２１】
ケース１０の底板１００は、バックプレーン１２へ伸びるガイド構造１００ａを有する。データ記憶装置１６が底板１００に搭載されることにより、搭載装置１８のトレー１８０又はデータ記憶装置１６自体がガイド構造１００ａに当接される場合、第１の電気コネクタ１２０が第２の電気コネクタ１６０に位置合わせされる。本実施形態において、底板１００におけるガイド構造１００ａは長尺の凸リブであるが、本発明はこれに限定されない。実際の応用において、ガイド構造１００ａは、段階的な凸リブ又は仕切られた凸点であってもよい。
【００２２】
搭載装置１８のハンドル１８２は、係止フック構造１８２ａを有する。係止フック構造１８２ａが回動可能に桿状部材１４に係合される。搭載装置１８の第１の連接棒１８４がトレー１８０とハンドル１８２に枢支される。搭載装置１８の第２の連接棒１８６がトレー１８０に枢支され、且つ摺動可能にハンドル１８２に接続される。本実施形態では、２つの連接棒によってハンドル１８２とトレー１８０とを接続するため、組立を行う者がハンドル１８２をつかみトレー１８０とデータ記憶装置１６が自重で下がる場合でも、トレー１８０とデータ記憶装置１６が不安定になって自由に回動することはない。
【００２３】
上記構造配置によって、搭載装置１８は、底板１００に垂直な第１の方向Ａ１（図３Ｂ）に沿ってデータ記憶装置１６をケース１０内に入れ又はケース１０から外すことができる。データ記憶装置１６がケース１０内に入り底板１００に搭載されることにより、第１の電気コネクタ１２０が第２の電気コネクタ１６０に位置合わせされる場合、桿状部材１４に対して回転し第１の方向Ａ１に沿って押下されたハンドル１８２が、第１の連接棒１８４と第２の連接棒１８６を介してデータ記憶装置１６を、底板１００に平行な第２の方向Ａ２（図３Ｂ参照）に沿って底板１００に対して水平方向に移動させるように押し、更に縦置きのバックプレーン１２の第１の電気コネクタ１２０と第２の電気コネクタ１６０とを接続させることができる（図３Ａ〜図３Ｂに示される工程の通りである）。なお、第１の電気コネクタ１２０と第２の電気コネクタ１６０とが接続した状態で、桿状部材１４に対して回転し第１の方向Ａ１に沿って引き上げられるハンドル１８２は、第１の連接棒１８４と第２の連接棒１８６を介してデータ記憶装置１６を、第２の方向Ａ２に沿って底板１００に対して水平方向に移動させるように引き、更に第１の電気コネクタ１２０と第２の電気コネクタ１６０とを離脱させる（図３Ｂから図３Ａへの過程の通り）。このため、サーバー１の内部スペース内のデータ記憶装置１６が水平に移動するための距離が短くても、搭載装置１８の協力によって、組立を行う者は、容易にデータ記憶装置１６をサーバー１の内部で水平に移動させ、縦置きのバックプレーン１２を着脱することができる。
【００２４】
図２に示すように、本実施形態において、搭載装置１８の第２の連接棒１８６がハンドル１８２の係止フック構造１８２ａと第１の連接棒１８４との間に位置し、且つ第１の連接棒１８４の長さが第２の連接棒１８６の長さよりも長い。より詳細には、第１の連接棒１８４は、第１の枢支端１８４ａ及び第２の枢支端１８４ｂを有する。第１の枢支端１８４ａ及び第２の枢支端１８４ｂは、別々にトレー１８０とハンドル１８２に枢支される。ハンドル１８２は、摺動溝１８２ｃを更に有する。第２の連接棒１８６は、第３の枢支端１８６ａ及び摺動端１８６ｂを有する。第３の枢支端１８６ａがトレー１８０に枢支され、摺動端１８６ｂが摺動可能に摺動溝１８２ｃに接続される。特に、第１の枢支端１８４ａと第３の枢支端１８６ａとの間の距離は、第２の枢支端１８４ｂと摺動端１８６ｂとの間の距離よりも小さいため、第１の連接棒１８４とハンドル１８２との間の夾角が鋭角となることを確保できる。これによって、ハンドル１８２がトレー１８０に向かって当接される場合、第１の連接棒１８４は、係止フック構造１８２ａから離れるようにトレー１８０を移動させることなく、自然にトレー１８０を係止フック構造１８２ａに向かって押す。
【００２５】
別の実施形態において、ハンドル１８２の摺動溝１８２ｃを、第２の枢支端１８４ｂと摺動可能に接続するように第１の連接棒１８４の第２の枢支端１８４ｂの付近に設け、更に第２の連接棒１８６の摺動端１８６ｂをハンドル１８２に枢支させても、同様に、ハンドル１８２がトレー１８０に向かって当接してトレー１８０を係止フック構造１８２ａに向かって押すことにより、上記の目的を達成することもできる。しかし、ハンドル１８２のトレー１８０に対する最大角度が同じ状況で、第２の連接棒１８６の摺動部と摺動溝１８２ｃを摺動可能に接続させる設計（即ち、図２に示すような実施形態）に必要な摺動溝１８２ｃの長さを短くしてもよい。
【００２６】
また、搭載装置１８は、閂１８８及び弾性部材１９０を更に備える。閂１８８は、トレー１８０に設けられる。ハンドル１８２は、トレー１８０に平らに密着される場合、トレー１８０と閂１８８の一部との間に位置限定される。弾性部材１９０は、トレー１８０とハンドル１８２との間に設けられる。このため、ハンドル１８２は、トレー１８０に平らに密着される状態で、閂１８８によってロックされ、よって、図３Ｂと図４に示すように、弾性部材１９０の推力でトレー１８０に対して反ることはない。これに対して、組立を行う者が閂１８８を開けて閂１８８とハンドル１８２とを離脱させる場合、弾性部材１９０の弾力によってハンドル１８２が自動的にトレー１８０に対して反るので、図３Ａに示すように、組立を行う者がハンドル１８２を把持する助けとなる。
【００２７】
本実施形態において、搭載装置１８の閂１８８は、固定式の設計であるが、本発明はこれに限定されない。別の実施形態において、閂１８８は、摺動式の設計であってもよい。
【００２８】
本実施形態において、搭載装置１８の弾性部材１９０は、ねじりバネであるが、本発明はこれに限定されない。実際の応用において、ねじりバネの代わりに、圧縮バネを使用してもよい。
【００２９】
図４は、図３Ｂにおけるデータ記憶装置１６、搭載装置１８と桿状部材１４を示す側面図である。
【００３０】
図４に示すように、本実施形態において、ハンドル１８２の係止フック構造１８２ａが凹溝状となる。ハンドル１８２は、ハンドル１８２をトレー１８０に平らに密着させる時にトレー１８０に当接するための当接縁１８２ｂを更に有する。特に、係止フック構造１８２ａの凹方向Ｄとハンドル１８２の当接縁１８２ｂとは垂直にならない。このため、ハンドル１８２の係止フック構造１８２ａが桿状部材１４に係合され、当接縁１８２ｂがトレー１８０に当接される場合、係止フック構造１８２ａの一部が桿状部材１４の真下に位置し、ハンドル１８２が鉛直方向に上向きに桿状部材１４から離れることができなくなる。これにより、図３Ｂにおけるデータ記憶装置１６は、ハンドル１８２がトレー１８０に平らに密着される状況で、垂直方向に底板１００から離れて移動することはできない（即ち、第１の方向Ａ１に沿って底板１００から離れる）ため、本実施形態の搭載装置１８により、データ記憶装置１６のバックプレーン１２に対する組立強度が更に高められることが判る。
【００３１】
本発明の具体的な実施例に対する以上の詳細な説明から、本発明の搭載装置では、ハンドルの係止フック構造を桿状部材に係合させ、また、底板に垂直な第１の方向に沿ってデータ記憶装置をケース内に入れ又はケースから外すことができるため、データ記憶装置が横向きに底板上に置かれる状態で、組立を行う者が第１の方向に沿ってハンドルを押下して回動させる動作によって、第１の連接棒と第２の連接棒を介してデータ記憶装置を、第２の方向に沿って水平方向に縦置きのバックプレーンへ移動させるように押し、バックプレーンの第１の電気コネクタとデータ記憶装置の第２の電気コネクタとを挿着させることができることが判明される。これに対して、組立を行う者が第１の方向に沿ってハンドルを引き上げて回動させる動作によって、第１の連接棒と第２の連接棒を介してデータ記憶装置を、第２の方向に沿って縦置きのバックプレーンから離れて水平方向に移動させるように引き、第１の電気コネクタと第２の電気コネクタとを離脱させることができる。つまり、本発明の搭載装置は、ハンドルを第１の方向に沿って押下又は引き上げて回動させる動作によって、第１の連接棒と第２の連接棒の連係を介してデータ記憶装置を第２の方向に沿って底板上で水平方向に移動させることができる。このため、サーバーの内部スペース内のデータ記憶装置が水平方向に移動するための距離が短くても、本発明の搭載装置の協力によって、組立を行う者は、容易にデータ記憶装置をサーバーの内部で水平方向に移動させ、縦置きのバックプレーンを着脱することができる。
【００３２】
本発明を実施形態で前述の通り開示したが、これは本発明を限定するためのものではなく、当業者であれば、本発明の精神と範囲から逸脱しない限り、各種の変更や修正を加えることができる。従って、本発明の保護範囲は、特許請求の範囲で指定した内容を基準とするものである。
【符号の説明】
【００３３】
１  サーバー
１０  ケース
１００  底板
１００ａ  ガイド構造
１０２  側板
１２  バックプレーン
１２ａ  上縁
１２０  第１の電気コネクタ
１４  桿状部材
１６  データ記憶装置
１６０  第２の電気コネクタ
１８  搭載装置
１８０  トレー
１８２  ハンドル
１８２ａ  係止フック構造
１８２ｂ  当接縁
１８２ｃ  摺動溝
１８４  第１の連接棒
１８４ａ  第１の枢支端
１８４ｂ  第２の枢支端
１８６  第２の連接棒
１８６ａ  第３の枢支端
１８６ｂ  摺動端
１８８  閂
１９０  弾性部材
Ａ１  第１の方向
Ａ２  第２の方向
Ｄ  凹方向
【要約】
【課題】サーバーに適用される搭載装置を提供する。
【解決手段】サーバーは、ケース、バックプレーン及び桿状部材を含む。搭載装置は、固定部材、ハンドル、第１の連接棒及び第２の連接棒を含む。固定部材は、データ記憶装置に固定される。ハンドルは、回動可能に桿状部材に係合される係止フック構造を有する。第１の連接棒は、固定部材とハンドルに枢支される。第２の連接棒は、固定部材に枢支され、且つ摺動可能にハンドルに接続される。搭載装置は、ケースの底板に垂直な第１の方向に沿ってデータ記憶装置を前記ケースの中に入れ又はケースから外してもよい。データ記憶装置が底板に搭載される場合、桿状部材に対して回転するハンドルが、第１の連接棒と第２の連接棒を介してデータ記憶装置を底板に平行な第２の方向に沿って移動させるように押し又は引き、更にバックプレーンの第１の電気コネクタとデータ記憶装置の第２の電気コネクタとを別々に接続させ又は離脱させることができる。
【選択図】図１【図１】
0005860121.tif 000002
【図２】
0005860121.tif 000003
【図３Ａ】
0005860121.tif 000004
【図３Ｂ】
0005860121.tif 000005
【図４】
0005860121.tif 000006